(57)【要約】【課題】携帯端末と車両装置との接続を補助できる車両システム、車両装置と携帯端末との適合情報取得方法、プログラム及び記憶媒体を提供する。【解決手段】車両システムは、車両装置１０と、車両装置１０と近距離通信部１１，１３を介して通信可能な状態で接続される携帯端末３０と、携帯端末３０とインターネット通信部２１，３２を介して通信可能な状態で接続される情報センタ２０とを備えており、携帯端末３０は、車両装置１０と当該車両装置１０に接続される携帯端末３０との接続状態の適否を示す適合情報を取得するとともに、情報センタ２０にアクセスして適合情報を当該情報センタ２０に送信する。情報センタ２０は、携帯端末３０から受信した適合情報を記憶部２２に記憶する。【選択図】      図３
2015144381.tif 000002
【特許請求の範囲】
【請求項１】
車両装置（１０）と、前記車両装置と第１接続手段（１１，１３）を介して通信可能な状態で接続される携帯端末（３０）と、前記携帯端末と第２接続手段（２１，３２）を介して通信可能な状態で接続される情報センタ（２０）と、
を備える車両システムであって、
前記携帯端末は、前記車両装置と当該車両装置に接続される接続機器（３０）との接続状態の適否を示す適合情報を取得する情報取得手段と、
前記情報センタにアクセスし、前記適合情報を前記情報センタに送信する情報送信手段と、を備え、
前記情報センタは、
前記携帯端末から受信した前記適合情報を記憶部（２２）に記憶する記憶手段を備えることを特徴とする車両システム。
【請求項２】
前記第１接続手段は、前記車両装置と前記携帯端末との間で無線通信を行う第１通信手段であり、前記第２接続手段は、前記携帯端末と前記情報センタとの間で無線通信を行う第２通信手段であり、前記接続機器は前記携帯端末であり、
前記携帯端末の前記情報取得手段は、
前記車両装置から、当該車両装置の仕様情報を含む車両情報（１６）を取得する手段と、
当該携帯端末の仕様情報を含む端末情報（３６）を取得する手段と、を備え、
前記情報送信手段は、前記車両情報、前記端末情報及び前記適合情報を前記情報センタに送信し、
前記情報センタの前記記憶手段は、前記車両情報及び前記端末情報に対応付けて前記適合情報を前記記憶部に記憶する請求項１に記載の車両システム。
【請求項３】
前記情報センタの前記記憶部には前記携帯端末で実行される各種のアプリケーションソフトウェア（４０）が記憶されており、
前記携帯端末は、当該携帯端末と前記車両装置との接続状態を適合させる適合用アプリケーションソフトウェアを前記情報センタから取得し実行する手段を備えており、
前記携帯端末の前記情報送信手段は、前記適合用アプリケーションソフトウェアの実行結果として、前記車両情報、前記端末情報及び前記適合情報を前記情報センタに送信し、
前記情報センタは、
前記携帯端末から受信した前記車両情報及び前記端末情報の組み合わせに見合う前記適合用アプリケーションソフトウェアを検索する検索手段と、
検索した前記適合用アプリケーションソフトウェアを前記携帯端末に送信する手段と、を備え、
前記携帯端末から受信した前記適合用アプリケーションソフトウェアの実行結果として、前記車両情報及び前記端末情報に対応付けて前記適合情報を前記記憶部に記憶する手段と、
を備える請求項２に記載の車両システム。
【請求項４】
前記情報センタにおいて、
前記記憶部には、前記車両情報及び前記端末情報のそれぞれについて、仕様が互いに類似する関係にある情報が類似情報として予め記憶されており、
前記検索手段は、前記端末情報と前記車両情報との組み合わせに合致する前記適合用アプリケーションソフトウェアが存在していない場合には、前記類似情報を用いて前記適合用アプリケーションソフトウェアを検索する請求項３に記載の車両システム。
【請求項５】
前記情報取得手段は、前記車両装置と前記携帯端末との通信が失敗した際に、前記適合情報を取得する請求項２〜４のいずれか１項に記載の車両システム。
【請求項６】
前記携帯端末は、前記車両装置と接続された状態で、前記車両装置の内部の動作履歴を取得する動作履歴取得手段を備え、
当該動作履歴取得手段は、前記携帯端末と前記車両装置との連動に不具合が生じた際に前記動作履歴を取得し、
前記情報送信手段は、前記携帯端末から受信した前記動作履歴を前記情報センタに送信し、
前記記憶部には、前記動作履歴が記憶される請求項１〜５のいずれか１項に記載の車両システム。
【請求項７】
車両装置（１０）と、前記車両装置と第１通信手段（１１，３１）を介して通信可能な状態で接続される携帯端末（３０）と、前記携帯端末と第２通信手段（２１，３２）を介して通信可能な状態で接続される情報センタ（２０）と、を備える車両システムに適用される車両装置と携帯端末との適合情報取得方法であって、
前記携帯端末が、前記車両装置の仕様情報を含む車両情報を取得する手順と、
前記携帯端末が、前記情報センタにアクセスする手順と、
前記携帯端末が、当該携帯端末の仕様情報である端末情報と、前記車両情報と、当該携帯端末及び前記車両装置との接続状態の適否を示す適合情報とを前記情報センタに送信する手順と、
前記情報センタが、前記携帯端末から受信した前記車両情報及び前記端末情報に対応付けて前記適合情報を記憶する手順と、
を有することを特徴とする車両装置と携帯端末との適合情報取得方法。
【請求項８】
前記情報センタは、前記車両装置と前記携帯端末との接続状態を適合させる適合用アプリケーションソフトウェア（４０）が記憶された記憶部（１６）を備えており、
前記情報センタが、前記携帯端末から受信した前記車両情報と前記端末情報とに基づいて前記記憶部から前記適合用アプリケーションソフトウェアを検索する手順と、
前記情報センタが、検出した前記適合用アプリケーションソフトウェアを前記携帯端末に送信する手順と、
前記携帯端末が、前記情報センタから受信した前記適合用アプリケーションソフトウェアを実行する手順と、
前記携帯端末が、前記適合用アプリケーションソフトウェアの実行結果として、前記車両情報、前記端末情報及び前記適合情報を前記情報センタに送信する手順と、
前記情報センタが、前記携帯端末から受信した前記適合用アプリケーションソフトウェアの実行結果として前記車両情報及び前記端末情報に対応付けて前記適合情報を前記記憶部に記憶する手段と、
を更に有することを特徴とする請求項７に記載の車両装置と携帯端末との適合情報取得方法。
【請求項９】
第１通信手段（１１，３１）を介して車両装置（１０）と通信可能な状態で接続されるとともに、前記車両装置との接続状態を適合させる適合用アプリケーションソフトウェア（４０）が記憶された情報センタ（２０）と第２通信手段（２１，３２）を介して通信可能に接続される携帯端末（３０）に適用されるプログラムであって、
前記車両装置の仕様情報を含む車両情報を取得する処理と、
前記情報センタにアクセスする処理と、
前記車両情報と、前記携帯端末の仕様情報である端末情報と、前記車両装置との接続状態の適否を示す適合情報とを情報センタに送信する処理と、
前記情報センタから受信した前記適合用アプリケーションソフトウェアを実行する処理と、
前記適合用アプリケーションソフトウェアの実行結果として、前記車両情報、前記端末情報及び前記適合情報を前記情報センタに送信する処理と、
を携帯端末のコンピュータに実行させることを特徴とするプログラム。
【請求項１０】
請求項９に記載のプログラムが記憶された記憶媒体。
【発明の詳細な説明】
【技術分野】
【０００１】
本発明は、車両装置と携帯端末との接続手順を適合させる車両システム、車両装置と携帯端末との適合情報取得方法、プログラム及び記録媒体に関する。
【背景技術】
【０００２】
車両に搭載される車両装置には、車両装置と接続された携帯端末にコマンド送信等することにより、携帯端末と車両装置の組み合わせで実現できる機能がある。車両装置と接続される携帯端末のハードウェアやソフトウェアの種類は多岐であり、新しい機能を搭載した携帯端末も次々と市場に投入されている。またソフトウェアはそのバージョンが更新されたりする。
【０００３】
それゆえ、所定の機能を実現させるために車両装置が標準化されたコマンド送信をしても、携帯端末の機種及びＯＳによっては所定の機能が実現されるとは限らず、不具合が生じるおそれがある。
【０００４】
特許文献１において、上記車両装置の一種であり、電話機を把持しない状態で相手先との間で通話を行うハンズフリー装置は、ハンズフリー装置と接続した携帯端末に機種名を問い合わせるコマンドを送信し、携帯端末の機種名を示す情報を取得している。そして、ハンズフリー装置は、携帯端末の機種に依存する不具合が存在する場合に、不具合を是正するための処理を行っている。
【先行技術文献】
【特許文献】
【０００５】
【特許文献１】特開２００７−７４４０９号公報
【発明の概要】
【発明が解決しようとする課題】
【０００６】
特許文献１では、携帯端末の機能を車両装置であるハンズフリー装置で実現させるために、ハンズフリー装置から携帯端末に機種名を問い合わせるコマンドを送信しているが、ハンズフリー装置と携帯端末との組み合わせによっては、ハンズフリー装置からの問い合わせに対して携帯端末が返信できない可能性がある。
【０００７】
すなわち、ハンズフリー装置と携帯端末との接続状態が適切ではない場合、ハンズフリー装置からの問い合わせに対して携帯端末が返信できない不具合が生じる可能性がある。しかし特許文献１に記載の技術では、ハンズフリー装置等の車載装置と、携帯端末等の車載装置と接続される接続機器との間での接続状態が適切では無い場合における解決策については開示されていない。
【０００８】
本発明は、上記実情を鑑み、携帯端末と車両装置との接続を補助できる車両システム、車両装置と携帯端末との適合情報取得方法、プログラム及び記憶媒体を提供することを主たる目的とするものである。
【課題を解決するための手段】
【０００９】
本発明では、車両装置と、車両装置と第１接続手段を介して通信可能な状態で接続される携帯端末と、携帯端末と第２接続手段を介して通信可能な状態で接続される情報センタと、を備える車両システムであって、携帯端末は、車両装置と当該車両装置に接続される接続機器との接続状態の適否を示す適合情報を取得する情報取得手段と、情報センタにアクセスし、適合情報を情報センタに送信する情報送信手段と、を備え、情報センタは、携帯端末から受信した適合情報を記憶部に記憶する記憶手段を備えることを特徴とする。
【００１０】
上記発明において、携帯端末が、車両装置と当該車両装置に接続される接続機器との接続状態の適否を示す適合情報を情報センタに送信し、情報センタが携帯端末から受信した適合情報を記憶する。これにより、車両装置と各種接続機器との適合情報が情報センタに蓄積され、車両装置と各種接続機器との接続状態を適合させるための処置に役立てることができる。
【図面の簡単な説明】
【００１１】
【図１】車両システムの概略構成図。
【図２】車両装置の処理のフローチャート。
【図３】携帯端末の処理のフローチャート。
【図４】車両システムの通信を適合化する処理手順を示すシーケンス図。
【発明を実施するための形態】
【００１２】
以下、車両システムの構成について、図面を参照しつつ説明する。本実施形態に係る車両システムは、図１に示すように、車両装置１０と、情報センタ２０と、携帯端末３０とを有している。例えば車両装置１０は、携帯端末３０と連動可能なカーナビゲーションシステム等であり、携帯端末３０は、車両装置１０および情報センタ２０と無線接続が可能なスマートフォンや携帯電話、タブレット端末等である。
【００１３】
車両装置１０は、近距離通信部１１、情報通知部１２、記憶部１３、制御部１４を備えている。近距離通信部１１は、Bluetooth（登録商標）やWi-Fi（登録商標）等の通信方式を用いて、携帯端末３０との無線接続を可能とする。
【００１４】
情報通知部１２は、携帯端末３０に情報センタ２０のアドレスと、車両装置１０の仕様を特定する情報（以下、車両情報１６と記す）を通知する。車両情報１６は、車両装置１０のハードウェア情報及びソフトウェア情報であり、例えばハードウェア情報には、シリアル番号、ＣＰＵのタイプ、クロック周波数、ＲＡＭの容量、表示解像度、表示色数、スピーカ数等が含まれている。ソフトウェア情報には、システムソフトウェア（例えば、オペレーティングシステム）の種類やバージョン情報等が含まれている。車両情報１６には、これらの複数の仕様情報のうち少なくとも一つが含まれているものとする。
【００１５】
情報通知部１２は、情報センタ２０のアドレス及び車両情報１６を出力する。例えば情報通知部１２はモニタを備える表示装置であり、情報センタ２０のアドレスや車両情報１６を表すＱＲコード（登録商標）、ＵＲＬ、バーコード等を表示する設定画面をモニタに表示する。この場合、ユーザの操作によって、情報センタ２０のアドレス及び車両情報１６が携帯端末３０側で取得される。これ以外にも情報通知部１２としては、比較的汎用的であり、携帯端末３０の機種やソフトウェアの種類に依存しにくい方法（手段）で、情報センタ２０のアドレスや車両情報１６を出力できるものを用いることができる。例えば情報通知部１２は、携帯端末３０とＵＳＢ接続される図示を略すＵＳＢポート等であってもよい。この場合、携帯端末３０の図示を略すＵＳＢポートと、車両装置１０のＵＳＢポートとがＵＳＢケーブルで有線接続されることで、車両装置１０の車両情報１６等が携帯端末３０に出力される。
【００１６】
記憶部１３は、ハードディスク装置やＤＶＤ装置（登録商標ＤＶＤ）などから構成された記憶装置又は記憶領域であり、記憶部１３に情報センタ２０のアドレスや車両情報１６が記憶されている。また記憶部１３には、携帯端末３０との接続状態での車両装置１０の動作履歴（動作ログ）が記憶される。例えば動作履歴として、制御部１４による演算の履歴や、記憶部１３の容量等が記憶される。
【００１７】
制御部１４は、ＣＰＵ、ＲＡＭ、ＲＯＭ、Ｉ／Ｏ、及びこれらを接続するバスライン等からなるマイクロコンピュータとして構成されており、車両装置１０の各種動作を制御する。例えば、携帯端末３０との通信制御や、情報通知部１２の表示制御等をする。
【００１８】
携帯端末３０は、近距離通信部３１、インターネット通信部３２、情報取得部３３（取得手段）、記憶部３４、制御部３５（制御手段）を備えている。
【００１９】
近距離通信部３１は、車両装置１０と同じ近距離通信方式を用いて、車両装置１０との無線接続を可能とする。インターネット通信部３２は、Wi-Fi、ＬＴＥ（Long Term Evolution）、３Ｇ等の通信方式を用いて、インターネットとの接続を可能とする。
【００２０】
情報取得部３３は、比較的汎用的であって、携帯端末３０の機種及びＯＳに依存しにくい方法により、車両装置１０から情報センタ２０のアドレスおよび車両情報１６を取得する。例えば、情報取得部３３は、ＱＲコードやバーコードを読み取り可能なカメラ、ＮＦＣ(Near Field Communication)規格の通信装置、及び赤外線通信装置等である。情報取得部３３は、コード化されたアドレスの読み取り、ＮＦＣ規格による通信、及び赤外線通信のいずれかを行うことにより、車両装置１０から情報センタ２０のアドレスおよび車両情報１６等を取得する。これ以外にも、車両装置１０とのＵＳＢ接続（有線接続）により情報センタ２０のアドレス及び車両情報１６を取得するものであってもよい。
【００２１】
記憶部３４は、フラッシュメモリ等から構成された記憶装置又は記憶領域である。記憶部３４には、携帯端末３０の仕様を特定する情報（以下、端末情報３６と記す）が記憶されている。端末情報３６は、携帯端末３０のハードウェア情報及びソフトウェア情報であり、例えばハードウェア情報には、シリアル番号、ＣＰＵのタイプ等が含まれており、ソフトウェア情報には、システムソフトウェアの種類やバージョン情報などが含まれている。端末情報３６は、これら複数の仕様情報のうち、少なくとも一つを含むものであればよい。
【００２２】
また記憶部３４には、インターネット通信部３２を介して情報センタ２０から受信した情報が記憶される。例えば、携帯端末３０と車両装置１０との接続手順を適合させるためのアプリケーションプログラム（以下、適合アプリ４０と記す）が記憶される。適合アプリ４０は、携帯端末３０のソフトウェアインタフェースを車両装置１０のソフトウェアインタフェースに合わせる（変換する）ためのプログラムであり、後述する情報センタ２０の記憶部２２に記憶されている。
【００２３】
例えば、携帯端末３０と車両装置１０との接続ができない場合、適合アプリ４０の実行によって、携帯端末３０と車両装置１０との接続手順が適合されることで、携帯端末３０と車両装置１０とを接続することができる。なお携帯端末３０と車両装置１０とが接続されることで、携帯端末３０が車両装置１０側の機能を使用したり、車両装置１０が携帯端末３０の機能を使用したりすることが可能となる。
【００２４】
制御部３５は、ＣＰＵ、ＲＡＭ、ＲＯＭ、Ｉ／Ｏ、及びこれらを接続するバスライン等からなるマイクロコンピュータとして構成されている。制御部３５は、携帯端末３０の各種動作を制御する。例えば制御部３５は、車両装置１０から取得した車両情報１６と記憶部３４に記憶されている端末情報３６とを、インターネット通信部３２を介して情報センタ２０へ送信する。
【００２５】
また制御部３５は、適合アプリ４０の実行結果として、車両装置１０と携帯端末３０との接続が成功したか否かの情報を、インターネット通信部３２を介して、情報センタ２０に送信する。
【００２６】
情報センタ２０は、インターネット通信部２１、記憶部２２、制御部２３を備える。インターネット通信部２１は、Wi-Fi等の通信方式を用いて、インターネットとの接続を可能とする。
【００２７】
記憶部２２は、ハードディスク装置などから構成された記憶装置又は記憶領域であり、携帯端末３０から受信した車両情報１６及び端末情報３６が記憶される。また記憶部２２には、車両装置１０と携帯端末３０の組み合わせ毎に適合アプリ４０が記憶されている。なお適合アプリ４０は、少なくとも車両装置１０とその適合機種である携帯端末３０との組み合わせに対して用意されているとする。
【００２８】
また記憶部２２には、車両情報１６と端末情報３６とに対応付けられて、車両装置１０と携帯端末３０との接続状態の適否を示す情報（適合情報）が記憶される。
【００２９】
制御部２３は、ＣＰＵ、ＲＡＭ、ＲＯＭ、Ｉ／Ｏ、及びこれらを接続するバスライン等からなるマイクロコンピュータとして構成されている。制御部２３は、車両情報１６と端末情報３６とを受信すると、当該車両情報１６及び端末情報３６の組み合わせに一致する適合アプリ４０を検索する。該当する適合アプリ４０がある場合には、インターネット通信部２１を介して当該適合アプリ４０を携帯端末３０に送信する。
【００３０】
該当する適合アプリ４０が無い場合には、取得した車両情報１６及び端末情報３６に類似の仕様情報に基づいて、適合アプリ４０を検索する。例えば、類似の仕様情報は、機種が異なるがシステムソフトウェアのバージョン情報が同じ他の携帯端末３０から取得した端末情報３６や、機種が異なるがシステムソフトウェアのバージョン情報が同じ他の車両装置１０から取得した車両情報１６等である。なお、記憶部２２には、端末情報３６と車両情報１６のそれぞれについて、互いに類似する関係にある情報が類似情報として予め記憶されているとする。
【００３１】
所定の車両装置１０と携帯端末３０との組み合わせに合致する適合アプリ４０が無い場合に、類似情報に基づいて、適合アプリ４０が検索され、携帯端末３０に配信されるようにすることで、車両装置１０と携帯端末３０との適合実績（接続実績）が無い場合でも、車両装置１０と携帯端末３０との接続をサポートすることができる。
【００３２】
なお情報センタ２０は、インターネット等を介して、外部から必要なデータを入手可能に構成されており、メーカ側ではインターネット等を介して情報センタ２０の記憶部２２にアクセスすることができる。そのため、メーカにおいては、記憶部２２に記憶された情報を用いて、新規の携帯端末３０と既存の車両装置１０との接続手順を合わせる適合アプリ４０を情報センタ２０に追加したり、記憶部２２の既存の適合アプリ４０の修正やバージョンアップ等をしたりすることができる。これにより、車両装置１０の適合機種以外の携帯端末３０と、当該車両装置１０との接続をより適切にサポートすることができる。なおインターネット以外にも、ＵＳＢ等のハードディスクや、メーカ側の専用の通信網を介して記憶部２２の情報が更新されてもよい。
【００３３】
図２に車両装置１０の制御部１４による処理のフローチャートを示す。図３に携帯端末３０の制御部３５による処理のフローチャートを示す。なお図２，図３の処理は所定のステップで繰り返し実行されるとする。
【００３４】
まず図２に示す車両装置１０の処理において、ステップS１０で携帯端末３０と未接続であるかを判定する。即ち、車両装置１０の近距離通信部１１と携帯端末３０の近距離通信部３１とが接続しているか否かを判定する。未接続であると判定した場合には、ステップS１１に進み、近距離通信部１１で接続可能な携帯端末３０があるか否かを判定する。例えば、近距離通信部１１の通信範囲内に携帯端末３０があるかを判定する。
【００３５】
接続可能な携帯端末３０があると判定した場合、ステップS１２に進み、情報通知部１２に携帯端末３０の端末情報３６を出力してユーザに通知する。例えばモニタに携帯端末３０の機種名のリストを表示する。これ以外にも端末情報３６の少なくとも一つが表示されればよい。
【００３６】
続くステップS１３では、携帯端末３０を選択する信号が入力されたか否かを判定する。例えばユーザが情報通知部１２上の携帯端末３０を指定した場合に選択信号が入力される。肯定判定した場合には、ステップＳ１４に進み、選択された携帯端末３０との無線接続を実行する。続くステップＳ１５では携帯端末３０との接続が失敗したか否かを判定する。例えば、ステップＳ１３で携帯端末３０を選択する信号が入力されてから、所定時間が経過しても携帯端末３０との接続状態が成立していない場合に、接続が失敗したと判定する。接続が失敗したと判定した場合にはステップＳ１６に進み、情報通知部１２に情報センタ２０のアドレスと車両情報１６を取得するための情報を表示する。例えばＱＲコードを表示する。
【００３７】
一方、ステップS１０で否定判定した場合、すなわち携帯端末３０と接続していると判定した場合には、ステップS１７に進み、携帯端末３０からの指令信号があるか否かを判定する。肯定判定した場合には、ステップＳ１８に進み、携帯端末３０の指令信号に基づき所定の機能を実行する。例えば、情報通知部１２に携帯端末３０の情報（電話帳等）を表示する。続くステップＳ１９では、実行結果を携帯端末３０に送信する。なおステップＳ１１，Ｓ１３，S１５，S１７で否定判定した場合には本処理を終了する。
【００３８】
次に図３の携帯端末３０の処理を説明する。まずステップS２０で、情報センタ２０のアドレス及び車両情報１６が未取得であるか否かを判定する。未取得の場合にはステップ２１に進み、車両装置１０との接続が失敗であるか否かを判定する。接続が失敗したと判定した場合にはステップS２２に進み、携帯端末３０の図示を略すディスプレイ等に、車両装置１０から車両情報１６等の情報を取得することをユーザに促す画面を表示する。または図示を略すスピーカの駆動で音声出力にて通知してもよい。
【００３９】
ステップＳ２０で車両情報１６等を取得済みと判定した場合には、ステップＳ２３に進み、車両情報１６、端末情報３６及び適合情報が未送信であるかを判定する。未送信であると判定した場合には、ステップＳ２４に進み、インターネット通信部３２を介して、車両情報１６、端末情報３６及び適合情報とを情報センタ２０に送信する。
【００４０】
一方、ステップＳ２３で否定判定した場合には、ステップＳ２５に進み、適合アプリ４０を受信済みであるかを判定する。受信済みの場合には、ステップS２６に進み、適合アプリ４０を実行するためのコマンド入力があるか否かを判定する。例えば、携帯端末３０の操作で適合アプリ４０を実行するための信号が入力されたか否かを判定する。肯定判定した場合にはステップＳ２７に進み、車両装置１０との接続処理を行う。即ち、適合アプリ４０により定められた手順に従い、車両装置１０と携帯端末３０とを接続する処理が実施される。続くステップＳ２８では、適合アプリ４０の実行結果を、インターネット通信部３２を介して、情報センタ２０に送信する。即ち、車両情報１６と、端末情報３６と、車両装置１０と携帯端末３０との接続の適否を示す適合情報とを情報センタ２０に送信する。
【００４１】
一方、ステップＳ２６で適合アプリ４０が実行されていないと判定した場合には、ステップＳ２９に進み、適合アプリ４０の実行をユーザに促す表示を、図示を略す表示画面や音声などで通知する。なおステップＳ２１，Ｓ２５で否定判定した場合には本処理を終了する。
【００４２】
次に、図４を参照して、近距離通信で接続された車両装置１０と携帯端末３０との接続設定を行う際の処理手順について説明する。
【００４３】
まずＰ１０では、車両装置１０は、近距離通信部１１との接続を許可するデバイスとして携帯端末３０を登録する処理を実施する。即ち、車両装置１０のモニタに登録可能な携帯端末３０のリストが表示される。ユーザがリストから車両装置１０と接続する携帯端末３０を選択することによって、車両装置１０と当該携帯端末３０とを近距離通信にて接続する処理が行われる。
【００４４】
この時、車両装置１０と携帯端末３０との接続手順等が異なることにより、仮に車両装置１０によって、車両装置１０と携帯端末３０との接続が失敗したと判定されると、Ｐ１１で、車両装置１０のモニタに情報センタ２０のアドレスと車両情報１６の取得をユーザに促す設定画面が表示される。例えばＱＲコードが表示される。この際、ユーザに対して携帯端末３０を用いて車両情報１６等の取得を促すコメントが合わせて表示されてもよい。
【００４５】
続いてＰ１２で、携帯端末３０は、情報センタ２０のアドレス及び車両情報１６を取得する。例えばカメラによる撮影でＱＲコードを取得する。
【００４６】
Ｐ１３では、携帯端末３０は、車両装置１０から取得したアドレスを用いて情報センタ２０に接続する。この際、記憶部３４に記憶している端末情報３６と、車両装置１０から取得した車両情報１６と、車両装置１０と携帯端末３０との接続が失敗したとの適合情報とを情報センタ２０に送信する。なお車両情報１６、端末情報３６及び適合情報は同時に送信されてもよく、別々に送信されてもよい。
【００４７】
続いてＰ１４では、情報センタ２０は、車両情報１６及び端末情報３６に対応付けて適合情報を記憶部２２に記憶する。そしてＰ１５で、取得した車両情報１６と端末情報３６とに基づいて適合アプリ４０を検索する。車両情報１６及び端末情報３６の組み合わせに一致する適合アプリ４０がある場合には、ステップS３６でその適合アプリ４０を携帯端末３０に送信する。
【００４８】
一方、Ｐ１５で、車両情報１６及び端末情報３６の組み合わせに一致する適合アプリ４０が無い場合には、類似の車両情報１６又は類似の端末情報３６を用いて、適合アプリ４０を検索し、Ｐ１６で検出した適合アプリ４０を携帯端末３０に送信する。
【００４９】
続いてＰ１７では、携帯端末３０は、情報センタ２０から受信した適合アプリ４０をインストールして実行する。
【００５０】
続くＰ１８では、適合アプリ４０の実行結果として、車両情報１６、端末情報３６及び適合情報を、携帯端末３０が情報センタ２０に送信する。続いてＰ１９では、情報センタ２０は、適合アプリ４０の実行結果として、車両情報１６と端末情報３６とに対応付けて適合情報を記憶する。続いてＰ２０では、車両装置１０と携帯端末３０との接続が成功か失敗かを判定する。接続が成功であるか否かは適合情報に基づき判定する。車両装置１０と携帯端末３０との接続が失敗の場合には、Ｐ２１で、情報センタ２０は、適合アプリ４０を再検索する。例えば、類似の携帯端末３０から取得した端末情報３６を用いて、適合アプリ４０を再検索する。その後、Ｐ２２以降では、車両装置１０と携帯端末３０との接続が成功するまで、Ｐ１６〜Ｐ２１と同様の処理が所定回数で繰り返し実施される。
【００５１】
なおＰ１６〜Ｐ２２の処理が繰り返されることにより、情報センタ２０の記憶部２２には、適合アプリ４０の実行結果として、車両情報１６及び端末情報３６に対応付けられた適合情報が逐次蓄積される。
【００５２】
そして、記憶部２２に用意されている適合アプリ４０を用いて、車両装置１０と携帯端末３０との接続ができなかった場合において、メーカ側で情報センタ２０に対応する適合アプリ４０が追加された際には、情報センタ２０から携帯端末３０に適合アプリ４０の用意ができた旨が通知されるようにしてもよい。又は、情報センタ２０に携帯端末３０が接続された際に、情報センタ２０から携帯端末３０に自動的に該当する適合アプリ４０が配信されるようにしてもよい。
【００５３】
本発明によれば以下の優れた効果を奏することができる。
【００５４】
（１）携帯端末３０が、車両装置１０と当該車両装置１０に接続される接続機器との接続状態の適否を示す適合情報を情報センタ２０に送信し、情報センタ２０が携帯端末３０から受信した適合情報を記憶する。これにより、車両装置１０と各種接続機器との適合情報が情報センタ２０に蓄積され、車両装置１０と各種接続機器との接続状態を適合させるための処置に役立てることができる。
【００５５】
（２）携帯端末３０と車両装置１０との無線接続を行う際、携帯端末３０が、車両装置１０から当該車両装置１０の仕様情報を含む車両情報１６を取得して、携帯端末３０の仕様情報を含む端末情報３６と、車両装置１０と携帯端末３０との接続状態の適否を示す適合情報とともに情報センタ２０に送信する。情報センタ２０は、携帯端末３０から受信した車両情報１６及び端末情報３６に対応付けて適合情報を記憶する。車両装置１０と携帯端末３０との適合情報が情報センタ２０に蓄積されることで、車両装置１０と各種携帯端末３０との接続状態を適合させるための処置に役立てることができる。
【００５６】
（３）情報センタ２０が携帯端末３０から車両情報１６及び端末情報３６を受信した際に、車両情報１６と端末情報３６の組み合わせに見合う適合アプリ４０を検索して携帯端末３０に送信する。携帯端末３０は、情報センタ２０から受信した適合アプリ４０を実行する。そして実行結果として、車両情報１６、端末情報３６及び適合情報を情報センタ２０に送信する。情報センタ２０は、受信した車両情報１６及び端末情報３６に対応付けて適合情報を記憶する。情報センタ２０に適合アプリ４０の実行結果として、車両装置１０と携帯端末３０との接続状態の適否を示す適合情報が蓄積されることで、その情報を車両装置１０と携帯端末３０とを適合させるための処置に役立てることができる。
【００５７】
（４）所定の車両情報１６と端末情報３６の組み合わせに合致する適合アプリ４０が無い場合には、仕様が互いに類似する車両装置１０又は携帯端末３０に合致する適合アプリ４０を検索する。このように、所定の車両装置１０と携帯端末３０の組み合わせに合致する適合アプリ４０が無い場合には、仕様が互いに類似する関係にある車両装置１０又は携帯端末３０に基づいて、車両装置１０と携帯端末３０との接続状態を適合させるためのサポートを行うことができる。
【００５８】
（５）携帯端末３０と車両装置１０との接続状態が適合しており、携帯端末３０と車両装置１０との通信に異常が生じていない場合には、適合アプリ４０の配信が不要となる。そこで携帯端末３０と車両装置１０との通信が失敗した場合に、車両情報１６及び端末情報３６を情報センタ２０に送信する。この場合、車両装置１０と携帯端末３０との通信に不具合が生じる場合における適合情報を情報センタ２０に蓄積できる。
【００５９】
本発明は、上記実施形態の記載内容に限定されず、次のように実施されてもよい。
【００６０】
・図４のＰ１６〜Ｐ２２の処理を所定回数繰り返し実施しても、車両装置１０と携帯端末３０との接続が失敗する場合には、情報センタ２０がその旨を携帯端末３０に送信するようにしてもよい。例えば、携帯端末３０の表示部に、車両装置１０との接続ができない旨を表示するための情報を送信する。この際、車両装置１０と携帯端末３０との接続が失敗する原因は、車両装置１０と携帯端末３０の故障によるものではない旨が通知されることが好ましい。
【００６１】
・車両装置１０の適合機種ではない携帯端末３０と当該車両装置１０とを接続する場合、その携帯端末３０と車両装置１０との接続手順を適合させる専用の適合アプリ４０が用意されていない場合には、類似の仕様情報を持つ他の携帯端末３０用の適合アプリ４０を使って、携帯端末３０と車両装置１０とを接続させることができる。しかし、代替の適合アプリ４０による接続手順に従い、携帯端末３０と車両装置１０とを接続した場合、車両装置１０と携帯端末３０との接続状態に不具合が生じるおそれがある。例えば車両装置１０と携帯端末３０の組み合わせ（相性）によっては、通信が安定しない等の不具合が生じるおそれがある。
【００６２】
そこで車両装置１０と携帯端末３０との接続に不具合が生じた際に、携帯端末３０が車両装置１０の記憶部１３に記憶されている内部の動作履歴を取得して情報センタ２０に送信する。例えば、接続状態に不具合が生じた際、車両装置１０に動作履歴の取得のためのＱＲコードを表示させることで、携帯端末３０による車両装置１０の内部の動作履歴の取得が可能となる。車両装置１０の内部の動作履歴が情報センタ２０に蓄積されることで、メーカ側においては、その情報を、車両装置１０と携帯端末３０との接続の不具合を是正するための処置に役立てることができる。
【００６３】
・携帯端末３０以外のその他の機器（例えばＵＳＢ接続されたオーディオ）と車両装置１０との接続状態の適否を示す適合情報を、携帯端末３０が取得して情報センタ２０に送信してもよい。この場合、情報センタ２０には携帯端末３０から受信した車両装置１０と携帯端末３０以外のその他の接続機器との適合情報が記憶される。この場合にも、情報センタ２０に蓄積された適合情報を、車両装置１０と各種接続機器との接続の不具合の是正するための処置に役立てることができる。
【００６４】
・上記では、近距離通信部１１，３１の無線通信を行う際、車両装置１０と携帯端末３０との接続が失敗する場合に、情報通知部１２（例えば車両装置１０のモニタ）に、情報センタ２０のアドレス及び車両情報１６が通知される例を示した。これ以外にも、車両装置１０と携帯端末３０との接続が失敗した際に、車両装置１０が自動的に情報センタ２０のアドレス及び車両情報１６を携帯端末３０に送信するようにしてもよい。例えば、赤外線通信等の比較的汎用的であり、携帯端末３０の機種に依存しにくい方法で、携帯端末３０に情報を送信する。より具体的には、車両装置１０と携帯端末３０との接続要求があってから所定時間が経過しても接続が成功しない場合に、車両装置１０が携帯端末３０との接続に失敗したと判定して、上記の情報を携帯端末３０に送信するようにしてもよい。
【００６５】
・車両装置１０と携帯端末３０との接続が失敗した際、携帯端末３０側にユーザに情報センタ２０のアドレス等の取得を促す画面が表示されるようにしてもよい。
【００６６】
・上記では車両装置１０と携帯端末３０との接続が失敗した際に、車両情報１６が取得される例を示した。これ以外にも車両装置１０と携帯端末３０とが無線接続が成功した場合にも、携帯端末３０が車両情報１６を取得して、端末情報３６と適合情報と共に情報センタ２０に送信するようにしてもよい。情報センタ２０に、車両装置１０と携帯端末３０との接続状態が適している場合の適合情報が記憶される場合、情報センタ２０により多くの情報を蓄積することができ、メーカ側での不具合の是正に役立てることができる。
【００６７】
・車両装置１０と携帯端末３０との無線接続の成否にかかわらず、情報通知部１２の初期画面上に情報センタ２０のアドレス等の情報が通知されてもよい。
【００６８】
・適合アプリ４０は、車両装置１０と携帯端末３０との接続の成功の度合いに応じて記憶部２２に階層的に記憶されてもよい。例えば、所定の携帯端末３０に対応する適合アプリ４０が用意されていない場合、上位の階層に記憶されている適合アプリ４０から順番に携帯端末３０に配信する。この場合、車両装置１０と携帯端末３０との接続を早期に成功させる確率を高めることができる。
【００６９】
・上記では、適合アプリ４０によって、携帯端末３０のインタフェースを車両装置１０のインタフェースに変換する例を示したが、適合アプリ４０は、車両装置１０のインタフェースを携帯端末３０のインタフェースに変換するものであってもよい。
【００７０】
・上記では、情報センタ２０が携帯端末３０に適合アプリ４０を配信するとした。これ以外にも情報センタ２０は、ユーザの手動操作による携帯端末３０と車両装置１０との接続設定を補助するためのマニュアル等の情報を配信するものであってもよい。例えば、携帯端末３０の表示画面等に、車両装置１０との接続手順を定めるマニュアルを表示させる。この際、車両装置１０と携帯端末３０との接続が失敗する場合には、携帯端末３０の操作履歴が情報センタ２０の送信されるようにしてもよい。この場合、情報センタ２０はユーザによる接続設定の操作が正しく行われたか否かを判定し、操作手順が正しくない場合には、その旨を携帯端末３０の表示画面に表示するための情報を携帯端末３０に配信するようにしてもよい。
【符号の説明】
【００７１】
１０…車両装置、１１…近距離通信部、１３…記憶部、２０…情報センタ、２２…記憶部、３０…携帯端末。
【図１】
2015144381.tif 000003
【図２】
2015144381.tif 000004
【図３】
2015144381.tif 000005
【図４】
2015144381.tif 000006